(57)【要約】【課題】  撮像素子を有した複数のビデオカメラからの映像を転送する映像転送システムにおいて、別途映像合成用の装置や増幅装置が必要なく、全体のケーブル長を短くすることができ、また、一般的なビデオ機器などが使用でき、拡張性に優れたものにする。【解決手段】  デージーチェーン接続された各ビデオカメラ１−１、１−２、１−３、１−４に、映像データを入力するビデオ入力部と、該入力部に入力された映像データと撮像素子からの映像データを統合する映像データ合成部とを備え、映像データ合成部により統合された映像データを出力する。その際、統合する二つの映像データに対し、それぞれ映像の解像度を１／２として統合するか、１フレーム毎に映像データを切替えて統合するか、あるいは、映像として有効な映像データを優先して統合する。【選択図】        図１
2005268882.tif 000002
【特許請求の範囲】
【請求項１】
撮像素子を有する複数のビデオカメラからの映像を転送する映像転送方法であって、前記各ビデオカメラにおいて入力された映像データと撮像素子からの映像データを統合し、統合した映像データを該ビデオカメラから出力することを特徴とする映像転送方法。
【請求項２】
統合する複数の映像データに対し、それぞれ映像の解像度を落として統合することを特徴とする請求項１に記載の映像転送方法。
【請求項３】
統合する複数の映像データに対し、１フレーム毎に映像データを切替えて統合することを特徴とする請求項１に記載の映像転送方法。
【請求項４】
統合する複数の映像データに対し、映像として有効な映像データを優先して統合することを特徴とする請求項１に記載の映像転送方法。
【請求項５】
撮像素子を有する複数のビデオカメラからの映像を転送する映像転送システムであって、前記各ビデオカメラに、映像データの入力部と、該入力部に入力された映像データと前記撮像素子からの映像データを統合する映像データ合成部とを備え、前記映像データ合成部により統合された映像データを前記ビデオカメラから出力することを特徴とする映像転送システム。
【請求項６】
映像データ合成部は、統合する二つの映像データに対し、それぞれ映像の解像度を１／２として統合することを特徴とする請求項５に記載の映像転送システム。
【請求項７】
映像データ合成部は、統合する二つの映像データに対し、１フレーム毎に映像データを切替えて統合することを特徴とする請求項５に記載の映像転送システム。
【請求項８】
映像データ合成部は、統合する二つの映像データに対し、映像として有効な映像データを優先して統合することを特徴とする請求項５に記載の映像転送システム。
【請求項９】
各ビデオカメラをデージーチェーン接続したことを特徴とする請求項５ないし８何れかに記載の画像転送システム。
【発明の詳細な説明】
【技術分野】
【０００１】
本発明は、複数のテレビカメラからの映像データを統合して転送する映像転送方法及び映像転送システムに関するものである。
【背景技術】
【０００２】
従来、例えばセキュリティの目的で、複数の監視カメラを用いて監視室で複数箇所の映像を一つの画面にモニタ表示することが行われている（例えば、特許文献１参照。）。
【０００３】
図４はこのような従来の映像転送システムの概略構成を示す図である。同図中、１１−１、１１−２、１１−３、１１−４は撮像素子を有したビデオカメラ、１２は各ビデオカメラ１１−１、１１−２、１１−３、１１−４からの映像データを合成する映像合成装置、１３は合成された映像が表示される映像モニタ出力画面である。
【０００４】
上記の構成において、各ビデオカメラ１１−１、１１−２、１１−３、１１−４からは通常の映像信号を出力し、映像合成装置１２によって人が見易い映像、例えばアスペクト比を保持して、均等４分割の映像を出力する。これにより、映像モニタ出力画面１３には４分割された各ビデオカメラ１１−１、１１−２、１１−３、１１−４の映像が表示される。
【特許文献１】特開２００３−３１９３７４号公報
【発明の開示】
【発明が解決しようとする課題】
【０００５】
ところで、上記のような従来の映像転送システムにあっては、予め設定されたカメラの台数分までしか映像を合成することはできない。しかも、映像合成用の装置という外付けで大掛かりなものが必要となり、車両などでは設置が困難な場合がある。
【０００６】
また、各カメラから個別に映像合成装置へケーブルを配線する必要があり、ケーブルの全体長が長くなる。特に、カメラと映像合成装置との設定距離が長い場合は、中段に映像信号を増幅する装置が別途必要となる。
【０００７】
本発明は、上記のような問題点に鑑みてなされたもので、別途映像合成用の装置や増幅装置が必要なく、全体のケーブル長を短くすることができ、また、一般的なビデオ機器などが使用でき、拡張性に優れた映像転送方法及び映像転送システムを提供することを目的としている。
【課題を解決するための手段】
【０００８】
上記の目的を達成するため、本発明の映像転送方法及び映像転送システムは、次のように構成する。
【０００９】
撮像素子を有する複数のビデオカメラからの映像を転送する映像転送方法であって、前記各ビデオカメラにおいて入力された映像データと撮像素子からの映像データを統合し、統合した映像データを該ビデオカメラから出力することを特徴とする。
【００１０】
また、上記の統合する複数の映像データに対し、それぞれ映像の解像度を落として統合するか、１フレーム毎に映像データを切替えて統合するか、あるいは、映像として有効な映像データを優先して統合することを特徴とする。
【００１１】
撮像素子を有する複数のビデオカメラからの映像を転送する映像転送システムであって、前記各ビデオカメラに、映像データの入力部と、該入力部に入力された映像データと前記撮像素子からの映像データを統合する映像データ合成部とを備え、前記映像データ合成部により統合された映像データを前記ビデオカメラから出力することを特徴とする。
【００１２】
また、上記の統合する二つの映像データに対し、それぞれ映像の解像度を１／２として統合するか、１フレーム毎に映像データを切替えて統合するか、あるいは、映像として有効な映像データを優先して統合することを特徴とする。
【００１３】
更に、上記の各ビデオカメラをデージーチェーン接続することを特徴とする。
【発明の効果】
【００１４】
本発明によれば、別途映像合成用の装置や増幅装置が必要なく、全体のケーブル長を短くすることができ、また、一般的なビデオ機器などが使用でき、拡張性に優れた映像転送方法及び映像転送システムを実現することができる。
【発明を実施するための最良の形態】
【００１５】
以下、本発明の実施例を図面について説明する。
【実施例】
【００１６】
図１は本発明の実施例の構成を示すブロック図であり、複数（ここでは４台）のビデオカメラ（テレビ・カメラ）からの映像を転送する映像転送システムの基本構成を示している。同図中、１−１、１−２、１−３、１−４はそれぞれ撮像素子を有したビデオカメラで、この４台のビデオカメラ１−１、１−２、１−３、１−４はデージーチェーン接続されている。
【００１７】
図２に各ビデオカメラ単体の構成を示す。図中、２はＣＣＤ等の撮像素子、３は二つの映像データを統合する映像データ合成部である。
【００１８】
上記構成において、各ビデオカメラ自体には個別に映像データを入力するビデオ入力部（図示せず）を持たせ、ビデオカメラ本体内の撮像素子２からの映像データ（ＮＴＳＣ方式など）とこのビデオ入力部からの映像データ（ＮＴＳＣ方式など）を統合して一つの映像データ（ＮＴＳＣ方式など）とし、これを表示するのではなく、転送するようにしている。そして、各ビデオカメラ１−１、１−２、１−３、１−４はデージーチェーン接続されているので、図外の映像モニタには複数台のビデオカメラ１−１、１−２、１−３、１−４の映像データが転送される。
【００１９】
図３は本実施例における映像データ転送方法を示す図であり、所定の条件により複数の映像データを統合して転送する方法を示している。同図の（ａ）は解像度を間引く（落とす）方法、（ｂ）は時間を間引く方法、（ｃ）は優先度により間引く方法（カメラ２が優先の場合）をそれぞれ示している。
【００２０】
解像度を間引く場合は、統合したい二つの映像データに対し、それぞれ解像度を１／２とする。この場合、映像のアスペクト比を保存する必要はなく、例えば、ビデオ入力部から入る映像データＢに対してそのビデオカメラまでの上段に何台のビデオカメラが存在したかにより解像度を間引き、それと同等の間引き率で撮像素子２からの映像データＡに対して解像度を間引き、二つの映像データＡとＢを合成する。
【００２１】
時間を間引く場合は、統合したい二つの映像データに対し、１フレーム毎に映像データを切替える。この場合、例えば、第１フレームは映像データＡ、第２フレームは映像データＢとし、合成した映像データを転送する。
【００２２】
優先度により間引く場合は、統合したい二つの映像データに対し、映像信号として有効な映像データを優先させ、その優先させた映像データを転送する。
【００２３】
このように、本実施例においては、別途映像合成用の装置や増幅装置が必要なく、全体のケーブル長を短くすることができ、また、一般的なビデオ機器などが使用でき、拡張性が高いものとなる。すなわち、次のような効果を得ることができる。
【００２４】
（１）従来のように、別途映像合成用の装置を必要としない。
【００２５】
（２）ケーブル配線は各カメラ間を繋ぐだけでよいので、全体のケーブル長が短くできる。
【００２６】
（３）各カメラで映像データを再構成するので、信号の増幅的な役目も果たす。
【００２７】
（４）カメラの増設なども既存のカメラとの間に挿入するだけで可能となり、拡張性に優れている。
【００２８】
（５）出力信号は標準的な映像信号規格（ＮＴＳＣ方式など）であるので、データ保持などが必要な場合は一般的なビデオ機器が使用可能である。
【産業上の利用可能性】
【００２９】
本発明は、車両の死角エリアの監視システムや、セキュリティにおける監視システムなどに広く応用することができる。
【図面の簡単な説明】
【００３０】
【図１】本発明の実施例の構成を示すブロック図
【図２】実施例のビデオカメラ単体の構成を示すブロック図
【図３】実施例の映像データ転送方法を示す説明図
【図４】従来例の構成を示すブロック図
【符号の説明】
【００３１】
１−１  ビデオカメラ
１−２  ビデオカメラ
１−３  ビデオカメラ
１−４  ビデオカメラ
２  撮像素子
３  映像データ合成部
【図１】
2005268882.tif 000003
【図２】
2005268882.tif 000004
【図３】
2005268882.tif 000005
【図４】
2005268882.tif 000006